(57)【要約】【課題】災害の発生により公共通信網が輻輳状態に陥ったとしても、監視者が被監視者の安否を早急に確認できるようにする。【解決手段】被監視者携帯端末装置は、自己の位置情報を定期的に取得してインターネット経由でサーバに送信する。サーバは、受信した位置情報を利用して、被監視者の現在位置を示す被監視者情報を作成し、インターネット経由で情報表示装置に送信する。情報表示装置は、受信した被監視者情報を記憶しておく。監視者携帯端末装置は、災害発生に応じて機関から一斉送信された警報情報を受信すると、家庭内ＬＡＮ経由で警報情報を情報表示装置に転送する。情報表示装置は、警報情報の受信に応じて、自己が記憶していた被監視者情報を表示させる。【選択図】図３
2013239123.tif 000002
【特許請求の範囲】
【請求項１】
被監視者が携帯する被監視者携帯端末装置と、サーバと、監視者が携帯する監視者携帯端末装置と、情報表示装置とを備え、
前記被監視者携帯端末装置は、
自己の位置情報を定期的に取得する位置情報取得部と、
取得された前記位置情報を公共通信網経由で前記サーバに送信する位置情報送信部とを備え、
前記サーバは、
前記公共通信網経由で受信した前記位置情報に基づいて、少なくとも前記被監視者の現在位置を示す被監視者情報を作成する被監視者情報作成部と、
作成された前記被監視者情報を前記公共通信網経由で前記情報表示装置に送信する被監視者情報送信部とを備え、
前記監視者携帯端末装置は、
災害発生地域を示す情報を少なくとも含んで配信された警報情報を受信する警報情報受信部と、
受信した前記警報情報を局地通信網経由で前記情報表示装置に送信する警報情報送信部とを備え、
前記情報表示装置は、
前記公共通信網経由で受信した前記被監視者情報を記憶する記憶部と、
前記局地通信網経由で前記警報情報が受信されるのに応じて、記憶されている前記被監視者情報を表示させる表示制御部と、
を備えることを特徴とする災害通知システム。
【請求項２】
前記情報表示装置は、
受信された前記警報情報において示される災害発生地域に前記被監視者の現在位置が含まれるか否かについて判定する位置判定部をさらに備え、
前記表示制御部は、
前記被監視者の位置が前記災害発生地域に含まれると判定された場合には、前記記憶されている被監視者情報を表示させ、前記被監視者の位置が前記災害発生地域に含まれていないと判定された場合には、前記記憶されている被監視者情報を表示させない、
ことを特徴とする請求項１に記載の災害通知システム。
【請求項３】
前記被監視者情報作成部は、
受信した前記位置情報に基づいて、前記被監視者の位置をその周辺地図とともに示す被監視者情報を作成する、
ことを特徴とする請求項１または２に記載の災害通知システム。
【請求項４】
前記被監視者情報作成部は、
前記被監視者の位置から避難所までの経路探索を行い、探索した経路を前記周辺地図に反映させて前記被監視者情報を作成する、
ことを特徴とする請求項３に記載の災害通知システム。
【請求項５】
前記被監視者情報作成部は、
前記被監視者情報を作成するにあたり、前記情報表示装置の表示部のサイズに応じて前記周辺地図の縮尺を変更する、
ことを特徴とする請求項３または４に記載の災害通知システム。
【請求項６】
前記被監視者情報作成部は、
それぞれが異なる縮尺の前記周辺地図を含む複数の前記被監視者情報を作成し、
前記表示制御部は、
記憶されている複数の縮尺ごとの前記前記周辺地図のうちから、指定された縮尺の前記周辺地図を表示させる、
ことを特徴とする請求項３から５のいずれか一項に記載の災害通知システム。
【請求項７】
サーバが被監視者が携帯する被監視者携帯端末から受信した位置情報に基づいて作成した被監視者の現在位置を示す被監視者情報を前記サーバから公共通信網経由で受信する被監視者情報受信部と、
受信された被監視者情報を記憶する記憶部と、
局地通信網または一方向通信網で送信された警報情報を受信する警報情報受信部と、
前記警報情報が受信されるのに応じて、記憶されている被監視者情報を表示させる表示制御部と、
を備えることを特徴とする情報表示装置。
【請求項８】
被監視者が携帯する被監視者携帯端末装置と、サーバと、監視者が携帯する監視者携帯端末装置と、情報表示装置とを備える最大通知システムにおける災害通知方法であって、
前記被監視者携帯端末装置は、
自己の位置情報を定期的に取得する位置情報取得ステップと、
取得された前記位置情報を公共通信網経由で前記サーバに送信する位置情報送信ステップとを備え、
前記サーバは、
前記公共通信網経由で受信した前記位置情報に基づいて、少なくとも前記被監視者の現在位置を示す被監視者情報を作成する被監視者情報作成ステップと、
作成された前記被監視者情報を前記公共通信網経由で前記情報表示装置に送信する被監視者情報送信ステップとを備え、
前記監視者携帯端末装置は、
災害発生地域を示す情報を少なくとも含んで配信された警報情報を受信する警報情報受信ステップと、
受信した前記警報情報を局地通信網経由で前記情報表示装置に送信する警報情報送信ステップとを備え、
前記情報表示装置は、
前記公共通信網経由で受信した前記被監視者情報を記憶する記憶ステップと、
前記局地通信網経由で前記警報情報が受信されるのに応じて、記憶されている前記被監視者情報を表示させる表示制御ステップと、
を備えることを特徴とする災害通知方法。
【請求項９】
サーバが被監視者が携帯する被監視者携帯端末から受信した位置情報に基づいて作成した被監視者の現在位置を示す被監視者情報を前記サーバから公共通信網経由で受信する被監視者情報受信ステップと、
受信された被監視者情報を記憶する記憶ステップと、
局地通信網または一方向通信網で送信された警報情報を受信する警報情報受信ステップと、
前記警報情報が受信されるのに応じて、記憶されている被監視者情報を表示させる表示制御ステップと、
を備えることを特徴とする災害通知方法。
【請求項１０】
コンピュータに、
サーバが被監視者が携帯する被監視者携帯端末から受信した位置情報に基づいて作成した被監視者の現在位置を示す被監視者情報を前記サーバから公共通信網経由で受信する被監視者情報受信ステップと、
受信された被監視者情報を記憶する記憶ステップと、
局地通信網または一方向通信網で送信された警報情報を受信する警報情報受信ステップと、
前記警報情報が受信されるのに応じて、記憶されている被監視者情報を表示させる表示制御ステップと、
を実行させるためのプログラム。
【発明の詳細な説明】
【技術分野】
【０００１】
本発明は、災害通知システム、情報表示装置、災害通知方法およびプログラムに関する。
【背景技術】
【０００２】
地震などの災害が発生した場合には、できるだけ早急に家族、親類、知人などの安否が確認されるようにすることが求められる。
そこで、以下のような災害安否確認システムが知られている。つまり、この災害安否確認システムにおいて、携帯端末は、災害情報を受けて安否確認サーバから送信された安否確認要求に応答して安否情報の入力を要求する。携帯端末は、所定時間内に安否情報の入力があれば安否確認サーバへ安否情報を送信し、所定時間内に安否情報の入力がない場合には、携帯端末の位置情報を安否確認サーバに送信する。安否確認サーバは、位置情報を受信した場合には、携帯端末が災害エリアに含まれるか否かを判定し、災害エリアに含まれる場合には緊急連絡先に対して、携帯電話番号などの携帯端末を特定する情報と位置情報を送信するというものである。
【先行技術文献】
【特許文献】
【０００３】
【特許文献１】特開２０１１−９１７２０号公報
【発明の概要】
【発明が解決しようとする課題】
【０００４】
特許文献１では、災害時における安否確認ための緊急連絡先に対する通知が自動的に行われる。しかし、例えば携帯電話などの公共通信網は、災害時にはトラフィックの著しい増加によって輻輳が発生してしまうことで通信不能の状態となりやすい。このために、特許文献１による安否確認のための通知は災害の発生から著しく遅延してしまう可能性が高いという問題がある。
【０００５】
本発明は、このような事情に鑑みてなされたもので、災害の発生により公共通信網が輻輳状態に陥ったとしても、監視者が被監視者の安否を早急に確認できるようにすることを目的とする。
【課題を解決するための手段】
【０００６】
上述した課題を解決するために、本発明の一態様としての災害通知システムは、被監視者が携帯する被監視者携帯端末装置と、サーバと、監視者が携帯する監視者携帯端末装置と、情報表示装置とを備え、前記被監視者携帯端末装置は、自己の位置情報を定期的に取得する位置情報取得部と、取得された前記位置情報を公共通信網経由で前記サーバに送信する位置情報送信部とを備え、前記サーバは、前記公共通信網経由で受信した前記位置情報に基づいて、少なくとも前記被監視者の現在位置を示す被監視者情報を作成する被監視者情報作成部と、作成された前記被監視者情報を前記公共通信網経由で前記情報表示装置に送信する被監視者情報送信部とを備え、前記監視者携帯端末装置は、災害発生地域を示す情報を少なくとも含んで配信された警報情報を受信する警報情報受信部と、受信した前記警報情報を局地通信網経由で前記情報表示装置に送信する警報情報送信部とを備え、前記情報表示装置は、前記公共通信網経由で受信した前記被監視者情報を記憶する記憶部と、前記局地通信網経由で前記警報情報が受信されるのに応じて、記憶されている前記被監視者情報を表示させる表示制御部とを備える。
【０００７】
また、本発明の災害通知システムにおいて、前記情報表示装置は、受信された前記警報情報において示される災害発生地域に前記被監視者の現在位置が含まれるか否かについて判定する位置判定部をさらに備え、前記表示制御部は、前記被監視者の位置が前記災害発生地域に含まれると判定された場合には、前記記憶されている被監視者情報を表示させ、前記被監視者の位置が前記災害発生地域に含まれていないと判定された場合には、前記記憶されている被監視者情報を表示させない。
【０００８】
また、本発明の災害通知システムにおいて、前記被監視者情報作成部は、受信した前記位置情報に基づいて、前記被監視者の位置をその周辺地図とともに示す被監視者情報を作成する。
【０００９】
また、本発明の災害通知システムにおいて、前記被監視者情報作成部は、前記被監視者の位置から避難所までの経路探索を行い、探索した経路を前記周辺地図に反映させて前記被監視者情報を作成する。
【００１０】
また、本発明の災害通知システムにおいて、前記被監視者情報作成部は、前記被監視者情報を作成するにあたり、前記情報表示装置の表示部のサイズに応じて前記周辺地図の縮尺を変更する。
【００１１】
また、本発明の災害通知システムにおいて、前記被監視者情報作成部は、それぞれが異なる縮尺の前記周辺地図を含む複数の前記被監視者情報を作成し、前記表示制御部は、記憶されている複数の縮尺ごとの前記前記周辺地図のうちから、指定された縮尺の前記周辺地図を表示させる。
【００１２】
また、本発明の一態様としての情報表示装置は、サーバが被監視者が携帯する被監視者携帯端末から受信した位置情報に基づいて作成した被監視者の現在位置を示す被監視者情報を前記サーバから公共通信網経由で受信する被監視者情報受信部と、受信された被監視者情報を記憶する記憶部と、局地通信網または一方向通信網で送信された警報情報を受信する警報情報受信部と、前記警報情報が受信されるのに応じて、記憶されている被監視者情報を表示させる表示制御部とを備える。
【００１３】
また、本発明の一態様としての災害通知方法は、被監視者が携帯する被監視者携帯端末装置と、サーバと、監視者が携帯する監視者携帯端末装置と、情報表示装置とを備える最大通知システムにおける災害通知方法であって、前記被監視者携帯端末装置は、自己の位置情報を定期的に取得する位置情報取得ステップと、取得された前記位置情報を公共通信網経由で前記サーバに送信する位置情報送信ステップとを備え、前記サーバは、前記公共通信網経由で受信した前記位置情報に基づいて、少なくとも前記被監視者の現在位置を示す被監視者情報を作成する被監視者情報作成ステップと、作成された前記被監視者情報を前記公共通信網経由で前記情報表示装置に送信する被監視者情報送信ステップとを備え、前記監視者携帯端末装置は、災害発生地域を示す情報を少なくとも含んで配信された警報情報を受信する警報情報受信ステップと、受信した前記警報情報を局地通信網経由で前記情報表示装置に送信する警報情報送信ステップとを備え、前記情報表示装置は、前記公共通信網経由で受信した前記被監視者情報を記憶する記憶ステップと、前記局地通信網経由で前記警報情報が受信されるのに応じて、記憶されている前記被監視者情報を表示させる表示制御ステップとを備える。
【００１４】
また、本発明の一態様としての災害通知方法は、サーバが被監視者が携帯する被監視者携帯端末から受信した位置情報に基づいて作成した被監視者の現在位置を示す被監視者情報を前記サーバから公共通信網経由で受信する被監視者情報受信ステップと、受信された被監視者情報を記憶する記憶ステップと、局地通信網または一方向通信網で送信された警報情報を受信する警報情報受信ステップと、前記警報情報が受信されるのに応じて、記憶されている被監視者情報を表示させる表示制御ステップとを備える。
【００１５】
また、本発明の一態様としてのプログラムは、コンピュータに、サーバが被監視者が携帯する被監視者携帯端末から受信した位置情報に基づいて作成した被監視者の現在位置を示す被監視者情報を前記サーバから公共通信網経由で受信する被監視者情報受信ステップと、受信された被監視者情報を記憶する記憶ステップと、局地通信網または一方向通信網で送信された警報情報を受信する警報情報受信ステップと、前記警報情報が受信されるのに応じて、記憶されている被監視者情報を表示させる表示制御ステップとを実行させるためのものである。
【発明の効果】
【００１６】
以上説明したように、この発明によれば、災害の発生により公共通信網が輻輳状態に陥ったとしても、監視者が被監視者の安否を早急に確認できるという効果が得られる。
【図面の簡単な説明】
【００１７】
【図１】本実施形態における災害通知システムの構成例を示す図である。
【図２】本実施形態における被監視者携帯端末装置の構成例を示す図である。
【図３】本実施形態におけるサーバの構成例を示す図である。
【図４】本実施形態における被監視者情報の作成例を示す図である。
【図５】本実施形態における監視者携帯端末装置の構成例を示す図である。
【図６】本実施形態における警報情報の形式例を示す図である。
【図７】本実施形態における情報表示装置の構成例を示す図である。
【図８】本実施形態における被監視者情報の表示態様例を示す図である。
【図９】本実施形態における被監視者情報の表示態様例を示す図である。
【図１０】本実施形態における被監視者情報の表示態様例を示す図である。
【図１１】本実施形態における災害通知システムが実行する処理手順例を示す図である。
【図１２】本実施形態のサーバが実行する被監視者情報作成のための処理手順例を示す図である。
【発明を実施するための形態】
【００１８】
図１は、本発明の実施形態における災害通知システムの全体構成例を示している。この図に示す災害通知システムは、被監視者携帯端末装置１００、サーバ２００、監視者携帯端末装置３００および情報表示装置４００を備える。
【００１９】
被監視者携帯端末装置１００は、安否確認の対象として監視される被監視者としてのユーザが携帯する端末装置である。被監視者携帯端末装置１００は、自己の位置情報を定期的に取得し、この取得した位置情報を、例えば電話通信網（ここでは図示せず）からインターネット５００を経由してサーバ２００に送信する。なお、これら電話通信網やインターネット５００は公共に利用される公共通信網である。また、被監視者携帯端末装置１００が具現化される装置の具体例としては、携帯電話やスマートフォンなどである。
【００２０】
サーバ２００は、被監視者携帯端末装置１００から送信された位置情報を受信し、この受信した位置情報に基づいて、被監視者の位置を周辺地図とともに示す被監視者情報を作成する。そして、サーバ２００は、作成した被監視者情報をインターネット５００経由で情報表示装置４００に送信する。
【００２１】
監視者携帯端末装置３００は、被監視者を監視する監視者としてのユーザが携帯する端末装置である。この監視者が例えば自宅である家屋１０に居るとき、監視者携帯端末装置３００も家屋１０内に在る。家屋１０においては、情報表示装置４００が設置されているとともに、局地通信網である家庭内ＬＡＮ（Local Area Network）６００が構築されている。監視者携帯端末装置３００が家屋１０内に在って家庭内ＬＡＮ６００の通信範囲内に位置しているとき、監視者携帯端末装置３００は、家庭内ＬＡＮ６００経由で情報表示装置４００と通信が可能である。
【００２２】
また、監視者携帯端末装置３００は、警報情報を受信する。警報情報は、例えば地震などの災害の発生を緊急に通知するために所定の機関が一斉に配信する情報である。この警報情報には、少なくとも災害発生地域を示す情報が含まれる。
【００２３】
そして、監視者携帯端末装置３００は、家庭内ＬＡＮ６００の通信範囲内に位置しているときに警報情報を受信すると、この受信した警報情報を家庭内ＬＡＮ６００経由で情報表示装置４００に送信する。
【００２４】
情報表示装置４００は、サーバ２００から送信される被監視者情報を記憶する。
なお、サーバ２００は、被監視者携帯端末装置１００から位置情報が送信されるごとに被監視者情報を作成し、この作成した被監視者情報を送信する。情報表示装置４００は、例えば常に最新の被監視者情報のみを記憶していればよい。
また、情報表示装置４００は、前述のように、監視者携帯端末装置３００から家庭内ＬＡＮ６００経由で送信された警報情報を受信する。この警報情報の受信に応じて、情報表示装置４００は、記憶している被監視者情報が示す被監視者の位置が警報情報により示される災害発生地域に含まれている場合には、記憶している被監視者情報を表示させる。
【００２５】
このような構成では、災害が発生していないときには、定期的に被監視者携帯端末装置１００からサーバ２００に位置情報が送信される。そして、この位置情報を受信するごとに、サーバ２００は、被監視者の位置を示す被監視者情報を作成して情報表示装置４００に送信し、情報表示装置４００は、受信した被監視者情報を記憶する。つまり、災害が発生していないときには、情報表示装置４００が記憶する被監視者情報が一定期間ごとに更新される。そして、災害の発生に応じて監視者携帯端末装置３００が受信した警報情報を情報表示装置４００に転送するのに応じて、情報表示装置４００は、自己が記憶している被監視者情報を表示させる。つまり、現在における被監視者の位置を監視者に通知するための画像が表示される。
【００２６】
ここで、本実施形態の災害通知システムにおいて、災害が発生していないときの被監視者情報の更新のための被監視者携帯端末装置１００とサーバ２００の通信と、サーバ２００と情報表示装置４００の通信は、いずれもインターネット５００を経由して行われる。
例えばインターネット５００や携帯電話回線などの公共通信網は、災害が発生していないときに広域で輻輳が発生して通信が不能になるということはほとんどない。したがって、インターネット５００経由で通信を利用した被監視者情報の更新は問題なく行うことができる。
【００２７】
ただし、携帯電話通信網やインターネット５００などの公共通信網は、一度災害が発生すると、その直後からしばらくは広い範囲でトラフィックが著しく増加することにより、通信速度が著しく低下したり通信不能となったりしやすい。
しかし、本実施形態の情報表示装置４００は、災害が発生したのに応じて、既に自己が記憶している被監視者情報を表示させる。また、この被監視者情報の表示のトリガとなる監視者携帯端末装置３００と情報表示装置４００との間での警報情報の送受信は、家庭内ＬＡＮ６００経由で行われる。家庭内ＬＡＮ６００は、家屋１０内で完結したネットワークであるために、インターネット５００の公共通信網のように災害発生によるトラフィック増加の影響を受けて輻輳が発生することはない。
【００２８】
したがって、監視者携帯端末装置３００は、警報情報の受信に応じて、即座に情報表示装置４００に対して警報情報を転送することが可能である。これにより、情報表示装置４００は、インターネット５００で輻輳が発生しているような状況であっても、その影響を受けることなく、災害発生に応じて即座に被監視者の現在位置を示す被監視者情報を表示させることができる。そして、監視者は、災害発生地域において、どのあたりに被監視者が居るのかをすぐに把握できる。
【００２９】
そのうえで、情報表示装置４００は、被監視者情報が示す被監視者の現在位置が警告情報において示される災害発生地域に含まれているときにのみ被監視者情報を表示し、被監視者の現在位置が災害発生地域に含まれていなければ被監視者情報を表示しない。
これにより、監視者は、監視者携帯端末装置３００が警報情報を受信したのに係わらず情報表示装置４００に被監視者情報が表示されなければ、被監視者は安全な場所に居るものと判断することができる。このように、本実施形態においては、災害発生直後において問題なく被監視者の安否を確認できる。
【００３０】
図２は、被監視者携帯端末装置１００の機能構成例を示している。この図に示す被監視者携帯端末装置１００は、位置情報取得部１１０と位置情報送信部１２０とを備える。
位置情報取得部１１０は、自己の位置情報を定期的に取得する。なお、位置情報取得部１１０には、例えばＧＰＳ（Global Positioning System）に対応する測位機能を適用することができる。
また、位置情報送信部１２０は、位置情報取得部１１０により取得された位置情報を、インターネット５００経由でサーバ２００に送信する。
【００３１】
図３は、サーバ２００の機能構成例を示している。
サーバ２００は、位置情報受信部２１０、被監視者情報作成部２２０、地図情報記憶部２３０、被監視者情報送信部２４０およびユーザ情報記憶部２５０を備える。
【００３２】
位置情報受信部２１０は、被監視者携帯端末装置１００からインターネット５００経由で送信される位置情報を受信する。
【００３３】
被監視者情報作成部２２０は、位置情報受信部２１０により受信された位置情報に基づいて、少なくとも被監視者の位置を示す被監視者情報を作成する。なお、被監視者情報作成部２２０は、受信された位置情報とともに、被監視者情報を作成するにあたり、地図情報記憶部２３０が記憶する地図情報を利用する。
【００３４】
地図情報記憶部２３０は、地図情報を記憶する。この地図情報は、地図としての画像と地図上の施設などの情報からなる地図データや、住所に緯度・経度を対応させた住所データを含む。
【００３５】
図４は、被監視者情報作成部２２０による被監視者情報の作成手順の一例を示している。
被監視者情報作成部２２０は、位置情報受信部２１０により受信された位置情報を被監視者の現在位置ｐｏｓの情報として扱う。この現在位置ｐｏｓの情報は、例えば、ＮＭＥＡ０１８３などのフォーマットに準拠して、現在位置ｐｏｓを、緯度と経度の組み合わせにより示すものである。したがって、現在位置ｐｏｓのままでは、緯度と経度によってしか位置を表現していない。例えば、この現在位置ｐｏｓの内容をそのまま表示しても、監視者は被監視者の位置を即座に把握できない。
【００３６】
そこで、被監視者情報作成部２２０は、図４に示すように、地図情報記憶部２３０が記憶する地図データ２３１から現在位置ｐｏｓを中心とする一定範囲の地図画像部分２３１ａを切り出す。そして、この切り出した地図画像部分２３１ａに、現在位置ｐｏｓを指し示すマークＭＫを配置させた周辺地図情報を作成する。
【００３７】
また、被監視者情報作成部２２０は、地図情報記憶部２３０が記憶する住所データ２３２から、現在位置ｐｏｓが該当する住所を検索し、この検索した住所を示す住所情報２２１ｂを取得する。そして、被監視者情報作成部２２０は、このように取得した周辺地図情報２２１ａと住所情報２２１ｂとを含めて被監視者情報２２１を作成する。
【００３８】
説明を図３に戻す。
被監視者情報送信部２４０は、被監視者情報作成部２２０により作成された被監視者情報をインターネット５００経由で情報表示装置４００に送信する。
【００３９】
ユーザ情報記憶部２５０は、例えば、被監視者携帯端末装置１００ごとのアドレスと、情報表示装置４００ごとのアドレスとを対応付けた情報を少なくとも備えて形成されるユーザ情報を記憶する。
【００４０】
位置情報受信部２１０が受信した位置情報には、その送信元である被監視者携帯端末装置１００のアドレスが付加されている。そこで、被監視者情報送信部２４０は、ユーザ情報記憶部２５０が記憶するユーザ情報から、位置情報に付加されていたアドレスに対応付けられている情報表示装置４００のアドレスを特定する。そして、被監視者情報送信部２４０は、この特定した情報表示装置４００のアドレスを宛先として被監視者情報を送信する。
【００４１】
図５は、監視者携帯端末装置３００の機能構成例を示している。この図に示す監視者携帯端末装置３００は、警報情報受信部３１０と警報情報送信部３２０とを備える。
警報情報受信部３１０は、警報情報を受信する。
警報情報送信部３２０は、受信した警報情報を家庭内ＬＡＮ６００経由で情報表示装置４００に送信する。
【００４２】
図６は、警報情報受信部３１０が受信する警報情報７００の内容の一例を示している。
この図に示す警報情報７００は、地震の発生に対応して一斉送信されたものであり、図示するように、「地震警報」のタイトルに続き、「震度５」のように震度が示され、続いて、「Ａ県ａ市●●区」および「Ａ県ａ市△△区」と記述される。これはすなわち、Ａ県ａ市●●区とＡ県ａ市△△区において震度５が観測されたことを意味している。また、これに続いて「震度４」と震度が示され、続いて、「Ａ県ｂ市」と記述されることで、Ａ県ｂ市において震度４が観測されたことを示す。
【００４３】
この警報情報７００は、例えば本文において図６に示す内容がテキストデータで記載された形式で電子メールとして送信される。警報情報受信部３１０は、電子メールとして送信された警報情報を受信すると、そのテキストのタイトルに「地震警報」と記載されていることに基づいて、これが警報情報７００として送信されてきたものであると認識する。この認識に応じて、警報情報送信部３２０は、受信した警報情報７００を家庭内ＬＡＮ６００経由で情報表示装置４００に自動で転送する。
【００４４】
図７は、情報表示装置４００の機能構成例を示している。この図に示す情報表示装置４００は、被監視者情報受信部４１０、記憶部４２０、警報情報受信部４３０、位置判定部４４０、表示制御部４５０および表示部４６０を備える。
【００４５】
被監視者情報受信部４１０は、インターネット５００経由でサーバ２００から送信された被監視者情報を受信する。
【００４６】
記憶部４２０は、被監視者情報受信部４１０が受信した被監視者情報２２１を記憶する。なお、記憶部４２０は、受信された被監視者情報２２１を蓄積するように記憶してもよいが、警報情報７００の受信に応じて表示させる被監視者情報２２１は、最後に受信されたものであればよい。したがって、記憶部４２０は、被監視者情報２２１が受信される都度、この受信された被監視者情報２２１を、記憶済みの被監視者情報２２１と書き換えるように記憶させればよい。
【００４７】
警報情報受信部４３０は、家庭内ＬＡＮ６００経由で監視者携帯端末装置３００から送信された警報情報を受信する。
【００４８】
位置判定部４４０は、受信された警報情報７００において示される災害発生地域に、記憶部４２０に記憶されている被監視者情報２２１が示す被監視者の現在位置が含まれるか否かについて判定する。
【００４９】
図６に示すように、警報情報７００は、テキストデータにより「Ａ県ａ市●●区」、「Ａ県ａ市△△区」、「Ａ県ｂ市」のように災害発生地域を示す。また、被監視者情報２２１に含まれる住所情報２２１ｂも、被監視者の現在位置の住所をテキストデータにより示す。そこで、位置判定部４４０は、警報情報７００において災害発生地域を示すテキストデータと、住所情報２２１ｂが示すテキストデータとを比較する。
【００５０】
一例として、住所情報２２１ｂが示すテキストデータは、「Ａ県ａ市●●区▽▽町」であったとする。また、警報情報７００としてのテキストデータが示す災害発生地域は、図６に例示したように「Ａ県ａ市●●区」、「Ａ県ａ市△△区」、「Ａ県ｂ市」であるとする。ここで、住所情報２２１ｂと災害発生地域とのテキストデータを比較すると、住所情報２２１ｂの「Ａ県ａ市●●区▽▽町」と、警報情報７００における「Ａ県ａ市●●区」とは、「Ａ県」と「ａ市」と「●●区」までの地域が一致している。このような場合、位置判定部４４０は、災害発生地域に被監視者の現在位置が含まれていると判定する。
これに対して、例えば、住所情報２２１ｂが示すテキストデータは、「Ａ県ｃ市××町」であるとすると、一致しているのは「Ａ県」だけであり、「市」の区域では異なっている。例えば、位置判定部４４０は、「市」の区域が異なっていれば、災害発生地域に被監視者の現在位置には含まれないものと判定する。したがって、この場合の位置判定部４４０は、災害発生地域に被監視者の現在位置は含まれていないと判定する。
【００５１】
表示制御部４５０は、警報情報７００が受信されるのに応じて、記憶部４２０に記憶されている被監視者情報２２１を表示させる。そのうえで、表示制御部４５０は、位置判定部４４０により災害発生地域に被監視者の現在位置が含まれていると判定された場合に被監視者情報２２１を表示させる。一方、表示制御部４５０は、位置判定部４４０により災害発生地域に被監視者の現在位置が含まれていないと判定された場合に被監視者情報２２１を表示させない。
【００５２】
表示部４６０は、表示制御部４５０の制御によって被監視者情報２２１をはじめとする各種の画像を表示する。なお、表示部４６０としてのディスプレイデバイスには、例えば液晶ディスプレイデバイスなどを採用できるが、これに限定されるものではない。
【００５３】
図８は、被監視者情報２２１の表示態様例を示している。この図に示すように、表示部４６０の画面には、「地震警報  震度５」のようにタイトルが表示される。このタイトルについては、例えば表示制御部４５０は、図６に示した警報情報７００のタイトル部分のテキストデータを利用して表示させることができる。
【００５４】
そして、このタイトルとともに、表示部４６０の画面においては、被監視者情報２２１における周辺地図情報２２１ａが表示される。この周辺地図情報２２１ａには、図４にて説明したように、被監視者の現在位置ｐｏｓを示すマークＭＫが表示されている。また、この周辺地図情報２２１ａ上に対しては、住所情報２２１ｂが文字により重畳表示される。
この図８に示される被監視者情報が表示されることで、監視者は、被監視者が災害発生地域においてどの場所に居るのかを容易に把握することができる。
【００５５】
図９は、被監視者情報２２１の他の表示態様例を示している。
この図に示す表示部４６０の表示画面には、図８の画像に対して、さらに、マークＭＫが示す被監視者の現在位置から避難所までの経路ＲＴが表示されている。
このように経路ＲＴが表示された被監視者情報２２１を見ることで、例えば、監視者は、災害向けの伝言ダイヤルなどの災害対応の通信サービスを利用して、被監視者に、現在位置から避難所までの経路を伝えることができる。
【００５６】
サーバ２００の被監視者情報作成部２２０は、図９のように経路ＲＴが反映された被監視者情報２２１を以下のように作成する。つまり、被監視者情報作成部２２０は、現在位置ｐｏｓから最も近い避難所を地図データ２３１から特定する。そして、現在位置ｐｏｓから特定した避難所までの経路を探索する。そして、探索された経路の情報を、図４の周辺地図情報２２１ａに経路ＲＴとして反映させる。
なお、現在位置ｐｏｓと家屋１０との距離が一定以内であれば、避難所に代えて、家屋１０までの経路を探索して経路ＲＴとして周辺地図情報２２１ａに反映させるようにしてもよい。なお、この場合には、家屋１０の位置が予め地図データ２３１に登録される。
【００５７】
また、被監視者情報作成部２２０は、情報表示装置４００の表示部４６０の画面サイズに応じて、周辺地図情報２２１ａの縮尺を変更するようにしてもよい。
図１０（ａ）と図１０（ｂ）は、表示部４６０の画面サイズに応じて縮尺が変更された周辺地図情報２２１ａの表示態様例を示している。表示部４６０の画面サイズは、図１０（ａ）のほうが図１０（ｂ）よりも大きい。
【００５８】
図１０（ａ）と図１０（ｂ）のマークＭＫが示す被監視者の現在位置はいずれも同じである。しかし、画面サイズの大きい図１０（ａ）のほうは縮尺が小さく、画面サイズの小さい図１０（ｂ）のほうは縮尺が大きくなっている。
【００５９】
表示部４６０の画面サイズが大きい場合には、解像度も高いことから、縮尺が小さくとも比較的詳細に地図の画像を表示させることができる。一方、画面サイズが小さい場合には解像度も低い。このために、縮尺が小さい地図を表示させると地図が細かすぎてしまって被監視者の現在位置周辺の詳細を把握しにくくなるので、ある程度縮尺が大きいことが好ましい。
【００６０】
そこで、被監視者情報作成部２２０は、被監視者情報の送信先の情報表示装置４００の表示部４６０の画面サイズに応じて縮尺を変更するように周辺地図情報２２１ａを作成する。このために、ユーザ情報記憶部２５０は、ユーザ情報において情報表示装置４００ごとに画面サイズを対応付けて記憶する。また、地図情報記憶部２３０は、異なる複数の縮尺の地図データ２３１を記憶する。
【００６１】
そして、被監視者情報作成部２２０は、ユーザ情報が示す画面サイズに応じて縮尺を決定する。次に、被監視者情報作成部２２０は、決定した縮尺の地図データ２３１を利用して、図４に示すように周辺地図情報２２１ａを作成する。
このように周辺地図情報２２１ａの縮尺を変更して作成することによって、情報表示装置４００の画面サイズに応じて周辺地図情報２２１ａを見やすく表示させることが可能になる。
【００６２】
また、図示による説明は省略するが、１つの情報表示装置４００に対応する被監視者情報に、互いに異なる縮尺による複数の周辺地図情報２２１ａを含めるようにしてもよい。この場合、被監視者情報作成部２２０は、それぞれが異なる所定の縮尺による複数の地図データ２３１のそれぞれから、同じ被監視者の現在位置ｐｏｓに対応する地図画像部分２３１ａを切り出し、切り出した地図画像部分２３１ａの各々から周辺地図情報２２１ａを作成する。これにより、それぞれが異なる所定の縮尺による複数の周辺地図情報２２１ａが得られる。
そして、情報表示装置４００においては、被監視者情報を表示させているときに、例えばユーザの操作に応じて、表示部４６０に表示させるべき周辺地図情報２２１ａの画像を切り替えるようにする。これにより、縮尺を切り替えるように周辺地図情報２２１ａを表示させることができる。
【００６３】
図１１のフローチャートは、本実施形態の災害通知システムにおいて実行される処理手順例を示している。
被監視者携帯端末装置１００において、位置情報取得部１１０は、一定時間が経過するのを待機しており（ステップＳ１０１−ＮＯ）、一定時間が経過するのに応じて（ステップＳ１０１−ＹＥＳ）、位置情報を取得する。次に、位置情報送信部１２０は、ステップＳ１０２により取得された位置情報を、インターネット５００経由でサーバ２００に送信し（ステップＳ１０３）、ステップＳ１０１に戻る。
【００６４】
また、サーバ２００において、位置情報受信部２１０は、被監視者携帯端末装置１００からインターネット５００経由で送信された位置情報が受信されるのを待機している（ステップＳ２０１−ＮＯ）。
そして、位置情報が受信されるのに応じて（ステップＳ２０１−ＹＥＳ）、被監視者情報作成部２２０は、被監視者情報２２１を作成する（ステップＳ２０２）。つまり、被監視者情報作成部２２０は、ステップＳ２０１により作成された位置情報と、地図情報記憶部２３０が記憶する地図情報と、ユーザ情報記憶部２５０が記憶するユーザ情報とを利用して、図４と図８〜図１０などにより説明したように被監視者情報２２１を作成する。
【００６５】
次に、被監視者情報送信部２４０は、ステップＳ２０２により作成された被監視者情報をインターネット５００経由で情報表示装置４００に送信し（ステップＳ２０３）、ステップＳ２０１に戻る。
この際、前述のように、被監視者情報送信部２４０は、ユーザ情報記憶部２５０に記憶されるユーザ情報から、位置情報の送信元の被監視者携帯端末装置１００と対応付けられている情報表示装置４００のアドレスを読み出す。被監視者情報送信部２４０は、読み出したアドレスを送信先として指定して被監視者情報を送信する。
【００６６】
また、情報表示装置４００において、被監視者情報受信部４１０は、サーバ２００からインターネット５００経由で送信される被監視者情報が受信されるのを待機している（ステップＳ３０１−ＮＯ）。そして、被監視者情報が受信されると（ステップＳ３０１−ＹＥＳ）、記憶部４２０は、ステップＳ３０１により受信された被監視者情報を記憶する（ステップＳ３０２）。
【００６７】
また、警報情報受信部４３０は、家庭内ＬＡＮ６００経由で警報情報７００が受信されるのを待機している（ステップＳ３０３−ＮＯ）。そして、警報情報７００が受信されると（ステップＳ３０３−ＹＥＳ）、位置判定部４４０は、警報情報７００が示す災害発生地域に被監視者情報２２１が示す被監視者の現在位置が含まれているか否かについて判定する（ステップＳ３０４）。この際、位置判定部４４０は、前述のように、警報情報７００において災害発生地域を示すテキストデータと、住所情報２２１ｂが示すテキストデータとを比較する。
【００６８】
災害発生地域に被監視者の現在位置が含まれていないと判定した場合は（ステップＳ３０４−ＮＯ）、ステップＳ３０１に戻る。
一方、災害発生地域に被監視者の現在位置が含まれていると判定した場合（ステップＳ３０４−ＹＥＳ）、表示制御部４５０は、記憶部４２０に記憶されている被監視者情報を表示部４６０に表示させ（ステップＳ３０５）、ステップＳ３０１に戻る。
【００６９】
また、監視者携帯端末装置３００において、警報情報受信部３１０は、警報情報７００が受信されるのを待機している（ステップＳ４０１−ＮＯ）。そして、警報情報７００が受信されると（ステップＳ４０１−ＹＥＳ）、この受信した警報情報を、家庭内ＬＡＮ６００経由で情報表示装置４００に対して送信し（ステップＳ４０２）、ステップＳ４０１に戻る。
【００７０】
図１２のフローチャートは、図１１のステップＳ２０２においてサーバ２００の被監視者情報作成部２２０が実行する被監視者情報作成のための処理手順例を示している。
なお、この図に示す処理は、図９にて説明したように避難所までの経路ＲＴを反映させるとともに、図１０に示したように、情報表示装置４００の表示部４６０の画面サイズに応じて周辺地図情報２２１ａの縮尺を変更するように被監視者情報２２１を作成する場合に対応する。
【００７１】
被監視者情報作成部２２０は、周辺地図情報２２１ａの縮尺を決定する（ステップＳ５０１）。このために、被監視者情報作成部２２０は、ユーザ情報記憶部２５０に記憶されているユーザ情報から、送信先の情報表示装置４００の画面サイズを読み出す。そして、この読み出した画面サイズに基づいて地図データ２３１の縮尺を決定する。
【００７２】
次に、被監視者情報作成部２２０は、ステップＳ５０１により決定した縮尺の地図データ２３１から、受信した位置情報が示す被監視者の現在位置ｐｏｓを中心とする周辺地図情報２２１ａを作成する（ステップＳ５０２）。
【００７３】
次に、被監視者情報作成部２２０は、被監視者の現在位置ｐｏｓに対応する住所を住所データ２３２から取得する（ステップＳ５０３）。
次に、被監視者情報作成部２２０は、被監視者の現在位置ｐｏｓから避難所までの経路探索を行う（ステップＳ５０４）。
【００７４】
そして、被監視者情報作成部２２０は、被監視者情報２２１を作成する（ステップＳ５０５）。
具体的に、被監視者情報作成部２２０は、ステップＳ５０２により作成された周辺地図情報２２１ａにステップＳ５０４により探索された経路ＲＴを示す画像を重畳させる。これにより、探索された避難所までの経路が周辺地図情報２２１ａに反映される。そして、このように経路ＲＴが反映された周辺地図情報２２１ａと、ステップＳ５０３により取得された住所を示す住所情報２２１ｂとを含めるように被監視者情報作成部２２０を作成する。
【００７５】
なお、被監視者情報作成部２２０は、ステップＳ５０４において経路探索により経路ＲＴを求める際には、例えば、所定の機関から送信される道路交通状況や交通機関の運行状況の情報を利用して、例えば渋滞していない道路を選択したり、運行していない交通機関を利用しないように経路を選択するなどして経路ＲＴを決定するようにしてよい。
【００７６】
また、上記実施形態において、情報表示装置４００は、家庭内ＬＡＮ６００を経由して監視者携帯端末装置３００から送信される警報情報７００を受信したのに応じて被監視者情報を表示させるようにしている。しかし、例えば情報表示装置４００は、放送などの一方向通信網を経由して送信された警報情報を受信したのに応じて被監視者情報を表示させるようにしてもよい。
【００７７】
なお、図２、図３、図５および図７に示した各部の機能を実現するためのプログラムをコンピュータ読み取り可能な記録媒体に記録して、この記録媒体に記録されたプログラムをコンピュータシステムに読み込ませ、実行することにより災害通知を行ってもよい。なお、ここでいう「コンピュータシステム」とは、ＯＳや周辺機器等のハードウェアを含むものとする。
【００７８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７９】
以上、この発明の実施形態について図面を参照して詳述してきたが、具体的な構成はこの実施形態に限られるものではなく、この発明の要旨を逸脱しない範囲の設計等も含まれる。
【符号の説明】
【００８０】
１０  家屋
１００  被監視者携帯端末装置
１１０  位置情報取得部
１２０  位置情報送信部
２００  サーバ
２１０  位置情報受信部
２２０  被監視者情報作成部
２２１  被監視者情報
２３０  地図情報記憶部
２３１  地図データ
２４０  被監視者情報送信部
２５０  ユーザ情報記憶部
３００  監視者携帯端末装置
３１０  警報情報受信部
３２０  警報情報送信部
４００  情報表示装置
４１０  被監視者情報受信部
４２０  記憶部
４３０  警報情報受信部
４４０  位置判定部
４５０  表示制御部
４６０  表示部
５００  インターネット
６００  家庭内ＬＡＮ
７００  警報情報
【図１】
2013239123.tif 000003
【図２】
2013239123.tif 000004
【図３】
2013239123.tif 000005
【図４】
2013239123.tif 000006
【図５】
2013239123.tif 000007
【図６】
2013239123.tif 000008
【図７】
2013239123.tif 000009
【図８】
2013239123.tif 000010
【図９】
2013239123.tif 000011
【図１０】
2013239123.tif 000012
【図１１】
2013239123.tif 000013
【図１２】
2013239123.tif 000014